【手続補正書】
【提出日】平成17年7月7日(2005.7.7)
【手続補正１】
【補正対象書類名】明細書
【補正対象項目名】特許請求の範囲
【補正方法】変更
【補正の内容】
【特許請求の範囲】
【請求項１】
少なくとも１つのソース無線ネットワーク制御機（ＲＮＣ）及びターゲットＲＮＣを含み、各ＲＮＣが、端末とのデータ通信を行い、少なくとも下位階層プロトコル及び該下位階層プロトコルの上位に位置する上位階層プロトコルを含み、前記端末が、少なくとも下位及び上位階層プロトコルを含み、ソースＲＮＣ及びターゲットＲＮＣにそれぞれ少なくともパケットデータの一部を伝送する無線ネットワークで、ＳＲＮＳ（ｓｅｒｖｉｎｇ  ｒａｄｉｏ  ｎｅｔｗｏｒｋ  ｓｕｂｓｙｓｔｅｍ）の再配置が発生するとき、使用者装置からのパケットデータ伝送方法において、
前記端末がターゲットＲＮＣを通じてソースＲＮＣから受信一連番号を受信する段階と、
前記端末が１番目の未確認データユニットの一連番号又は送信一連番号を利用して、前記受信一連番号が有効範囲内にあるか否かを判断する段階と、
前記受信一連番号が無効範囲内にあると、一連番号同期化を開始する段階と、から構成され、
前記受信一連番号は、前記１番目の未確認データユニットの一連番号より小さいか、あるいは前記送信一連番号より大きいと、無効範囲内にあると判断されることを特徴とするパケットデータ伝送方法。
【請求項２】
前記ソースＲＮＣの上位階層プロトコルが無線資源制御階層であり、前記ソースＲＮＣの下位階層プロトコルがパケットデータ収束プロトコル階層であることを特徴とする請求項１に記載のパケットデータ伝送方法。
【請求項３】
前記ターゲットＲＮＣの上位階層プロトコルが無線資源制御階層であり、前記ターゲットＲＮＣの下位階層プロトコルがパケットデータ収束プロトコル階層であることを特徴とする請求項１に記載のパケットデータ伝送方法。
【請求項４】
前記端末の下位階層プロトコルが、前記受信一連番号が有効範囲内にあるか否かを判断することを特徴とする請求項１に記載のパケットデータ伝送方法。
【請求項５】
前記一連番号同期化が、端末の下位階層プロトコルにより開始されることを特徴とする請求項１に記載のパケットデータ伝送方法。
【請求項６】
前記端末の下位階層プロトコルが、パケットデータ収束プロトコル階層であり、上位階層プロトコルが、無線資源制御階層であることを特徴とする請求項１に記載のパケットデータ伝送方法。
【請求項７】
少なくとも１つのソース無線ネットワーク制御機（ＲＮＣ）及びターゲットＲＮＣを含み、各ＲＮＣが、端末とのデータ通信を行い、少なくとも下位階層プロトコル及び該下位階層プロトコルの上位に位置する上位階層プロトコルを含み、前記端末が、少なくとも下位及び上位階層プロトコルを含み、ソースＲＮＣ及びターゲットＲＮＣからそれぞれ少なくともパケットデータの一部を受信する無線ネットワークで、ＳＲＮＳの再配置が発生するとき、端末にパケットデータを伝送する方法において、
ターゲットＲＮＣが端末から受信一連番号を受信する段階と、
前記ターゲットＲＮＣがソースＲＮＣから１番目の未確認データユニットの一連番号及び１番目の未送信データユニットに該当する送信一連番号を受信する段階と、
前記ターゲットＲＮＣが、ソースＲＮＣから未確認データユニットを受信し、該未確認データユニットの少なくとも一部を端末に伝送する段階と、
前記ターゲットＲＮＣが、１番目の未確認データユニットの一連番号又は送信一連番号を利用して、前記受信一連番号が有効範囲内にあるか否かを判断する段階と、
前記ターゲットＲＮＣが、前記受信一連番号が無効範囲内にあると、一連番号同期化を開始する段階と、から構成され、
前記受信一連番号は、前記１番目の未確認データユニットの一連番号より小さいか、あるいは前記送信一連番号より大きいと、無効範囲内にあると判断されることを特徴とするパケットデータ伝送方法。
【請求項８】
前記一連番号同期化が、ターゲットＲＮＣの下位階層プロトコルにより開始されることを特徴とする請求項７に記載のパケットデータ伝送方法。
【請求項９】
前記一連番号同期化が、ターゲットＲＮＣの上位階層プロトコルにより開始されることを特徴とする請求項７に記載のパケットデータ伝送方法。
【請求項１０】
前記ターゲットＲＮＣの下位階層プロトコルが、前記受信一連番号が有効範囲内にあるか否かを判断することを特徴とする請求項７に記載のパケットデータ伝送方法。
【請求項１１】
前記ターゲットＲＮＣの上位階層プロトコルが、前記受信一連番号が有効範囲内にあるか否かを判断することを特徴とする請求項７に記載のパケットデータ伝送方法。
【請求項１２】
前記ソースＲＮＣの上位階層プロトコルが、無線資源制御階層であり、前記ソースＲＮＣの下位階層プロトコルが、パケットデータ収束プロトコル階層であることを特徴とする請求項７に記載のパケットデータ伝送方法。
【請求項１３】
前記ターゲットＲＮＣの上位階層プロトコルが、無線資源制御階層であり、前記ターゲットＲＮＣの下位階層プロトコルが、パケットデータ収束プロトコル階層であることを特徴とする請求項７に記載のパケットデータ伝送方法。
【請求項１４】
前記ターゲットＲＮＣが、前記未確認データユニット及び該当一連番号をソースＲＮＣから同時に受信することを特徴とする請求項７に記載のパケットデータ伝送方法。
【請求項１５】
前記ターゲットＲＮＣの下位階層プロトコルが、前記未確認データユニット及び該当一連番号をソースＲＮＣの下位階層プロトコルから受信することを特徴とする請求項７に記載のパケットデータ伝送方法。
【請求項１６】
前記ターゲットＲＮＣの上位階層プロトコルが、前記送信一連番号をソースＲＮＣの上位階層プロトコルから受信することを特徴とする請求項７に記載のパケットデータ伝送方法。
【請求項１７】
前記ターゲットＲＮＣの上位階層プロトコルが、前記受信一連番号を端末の上位階層プロトコルから受信することを特徴とする請求項７に記載のパケットデータ伝送方法。
【請求項１８】
少なくとも１つのソース無線ネットワーク制御機（ＲＮＣ）及びターゲットＲＮＣを含み、各ＲＮＣが、移動通信装置とのデータ通信を行い、少なくとも下位階層プロトコルと該下位階層プロトコルの上に位置する上位階層プロトコルを含む無線ネットワークで、ＳＲＮＳの再配置が発生するとき、パケットデータを伝送する前記移動通信装置において、
少なくとも下位及び上位階層プロトコルと、
少なくともパケットデータの一部分をそれぞれソースＲＮＣ及びターゲットＲＮＣに送信する送信手段と、
ターゲットＲＮＣを通じてソースＲＮＣから受信一連番号を受信する受信手段と、
前記受信一連番号が有効範囲内にあるか否かを判断し、前記受信一連番号が無効範囲内にあると、一連番号同期化を開始する制御手段と、から構成され、
前記判断は、１番目の未確認データユニットの一連番号又は送信一連番号を利用して行われ、前記受信一連番号は、前記１番目の未確認データユニットの一連番号より小さいか、あるいは前記送信一連番号より大きいと、無効範囲内にあると判断されることを特徴とするパケットデータ伝送用移動通信装置。
【請求項１９】
前記下位階層プロトコルが、前記受信一連番号が有効範囲内にあるか否かを判断することを特徴とする請求項１８に記載のパケットデータ伝送用移動通信装置。
【請求項２０】
前記下位階層プロトコルが、前記一連番号同期化を開始することを特徴とする請求項１８に記載のパケットデータ伝送用移動通信装置。
【請求項２１】
前記下位階層プロトコルが、パケットデータ収束プロトコル階層であり、上位階層プロトコルが、無線資源制御階層であることを特徴とする請求項１８に記載のパケットデータ伝送用移動通信装置。
【請求項２２】
ＳＲＮＳの再配置が発生するとき、少なくとも下位階層プロトコルと該下位階層プロトコルの上に位置する上位階層プロトコルを含む移動通信装置にパケットデータを伝送する無線ネットワークにおいて、
少なくとも下位及び上位階層プロトコルを含み、パケットデータの少なくとも一部分を移動通信装置に送信する少なくとも１つのソースＲＮＣ及びターゲットＲＮＣから構成され、
前記ソースＲＮＣは、未確認データユニット、１番目の未確認データユニットの一連番号及び１番目の未送信データユニットに該当する送信一連番号をターゲットＲＮＣに送信し、
前記ターゲットＲＮＣは、移動通信装置から受信一連番号を受信し、ソースＲＮＣから受信した前記未確認データユニットの少なくとも一部分を移動通信装置に伝達し、前記受信一連番号が有効範囲内にあるか否かを判断して、前記受信一連番号が無効範囲内にあると、一連番号同期化を開始し、
ここで、前記判断は、前記１番目の未確認データユニットの一連番号又は前記送信一連番号を利用して行われ、前記受信一連番号は、１番目の未確認データユニットの一連番号より小さいか、あるいは前記送信一連番号より大きいと、無効範囲内にあると判断されることを特徴とする無線ネットワーク。
【請求項２３】
前記ターゲットＲＮＣの下位階層プロトコルが、前記一連番号同期化を開始することを特徴とする請求項２２に記載の無線ネットワーク。
【請求項２４】
前記ターゲットＲＮＣの上位階層プロトコルが、前記一連番号同期化を開始することを特徴とする請求項２２に記載の無線ネットワーク。
【請求項２５】
前記ターゲットＲＮＣの下位階層プロトコルが、前記受信一連番号が有効範囲内にあるか否かを判断することを特徴とする請求項２２に記載の無線ネットワーク。
【請求項２６】
前記ターゲットＲＮＣの上位階層プロトコルが、前記受信一連番号が有効範囲内にあるか否かを判断することを特徴とする請求項２２に記載の無線ネットワーク。
【請求項２７】
前記ソースＲＮＣの上位階層プロトコルが、無線資源制御階層であり、ソースＲＮＣの下位階層プロトコルが、パケットデータ収束プロトコル階層であることを特徴とする請求項２２に記載の無線ネットワーク。
【請求項２８】
前記ターゲットＲＮＣの上位階層プロトコルが、無線資源制御階層であり、ターゲットＲＮＣの下位階層プロトコルが、パケットデータ収束プロトコル階層であることを特徴とする請求項２２に記載の無線ネットワーク。
【請求項２９】
前記ソースＲＮＣが、前記未確認データユニット及び該当一連番号をターゲットＲＮＣに同時に伝達することを特徴とする請求項２２に記載の無線ネットワーク。
【請求項３０】
前記ソースＲＮＣの下位階層プロトコルが、前記未確認データユニット及び該当一連番号をターゲットＲＮＣの下位階層プロトコルに提供することを特徴とする請求項２２に記載の無線ネットワーク。
【請求項３１】
前記ソースＲＮＣの上位階層プロトコルが、前記送信一連番号をターゲットＲＮＣの上位階層プロトコルに提供することを特徴とする請求項２２に記載の無線ネットワーク。
【請求項３２】
前記ターゲットＲＮＣの上位階層プロトコルが、前記受信一連番号を移動通信装置の上位階層プロトコルから受信することを特徴とする請求項２２に記載の無線ネットワーク。